【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、
前記遊技盤は、少なくとも、
前記遊技領域の略中央において、抽選結果にもとづく大当り遊技の発生の有無を示す装飾図柄を表示する表示装置と、
前記遊技領域と非遊技領域とを隔壁するための隔壁部と、
前記主制御基板のマイクロプロセッサにより駆動制御されて各種機能表示を行う表示素子が一定個数実装されるとともに、遊技機の仕様が異なる機種間において、それら一定個数の表示素子が各種機能表示にそれぞれ割り当てられることにより共通に使用可能な機能表示基板を備え、
前記機能表示基板にそれぞれ一定個数実装される表示素子は、少なくとも、
前記遊技領域に設けられた始動入賞口に遊技球が入球して大当り遊技状態の発生の有無を所定の特別図柄として変動表示する特別図柄表示素子と、
前記遊技領域に設けられた前記始動入賞口に遊技球が入球して前記特別図柄表示素子で特別図柄が変動表示されないときには特別保留数として表示する特別図柄記憶表示素子と、
前記遊技領域に設けられたゲートに遊技球が通過して開閉部材の開閉の有無を所定の普通図柄として変動表示する普通図柄表示素子と、
前記遊技領域に設けられたゲートに遊技球が通過して前記普通図柄表示素子で普通図柄が変動表示されないときには保留数として表示する普通図柄記憶表示素子と、
現在の遊技状態を表示しうる遊技状態表示素子と、
前記遊技領域に設けられた大入賞口に遊技球が入球することができない状態から入球しやすい状態となるラウンド数を表示するラウンド表示素子と、に割り当てられ、
前記特別図柄記憶表示素子は、前記特別保留数の上限数よりも少ない数の表示素子で構成し、
前記特別図柄表示素子と前記特別図柄表示素子と異なる他の表示素子とは、前記機能表示基板に集約して配置され、
前記機能表示基板上に集約して配置された前記特別図柄表示素子と前記特別図柄表示素子と異なる他の表示素子とを遊技者が前記特別図柄表示素子と前記特別図柄表示素子と異なる他の表示素子であることを区別する機能表示部が印刷され、さらに該機能表示部と同一面に管理符号が印刷された機能表示手段とを備え、
前記機能表示手段は、前記大当り遊技の発生の有無を示す装飾図柄を表示する前記表示装置と離間した位置であり、前記遊技領域を形成する隔壁部よりも非遊技領域側であって、機能表示部を遊技者が視認可能な位置に設けられている
ことを特徴とした遊技機。
【手続補正２】
【補正対象書類名】明細書
【補正対象項目名】０００１
【補正方法】変更
【補正の内容】
【０００１】
本発明は、異なる仕様に対応できる遊技機に関するものである。
【手続補正３】
【補正対象書類名】明細書
【補正対象項目名】０００２
【補正方法】削除
【補正の内容】
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開平１０−１５１２６４号公報（図１）
【特許文献２】特開２００２−３５２２８号公報（図２及び図３）
【手続補正６】
【補正対象書類名】明細書
【補正対象項目名】０００５
【補正方法】変更
【補正の内容】
【０００５】
パチンコ遊技機を製造するメーカの作業者は、多仕様のパチンコ遊技機を組み立てるため、作業ミスが頻発することで、生産性が低下して生産計画に支障をきたすこととなる。
【手続補正７】
【補正対象書類名】明細書
【補正対象項目名】０００６
【補正方法】変更
【補正の内容】
【０００６】
本発明は、このような事情に鑑みてなされたものであり、その目的とするところは、作業ミスを防止することで生産性の向上に寄与することができるパチンコ遊技機を提供することにある。
【手続補正８】
【補正対象書類名】明細書
【補正対象項目名】０００８
【補正方法】変更
【補正の内容】
【０００８】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、前記遊技盤は、少なくとも、前記遊技領域の略中央において、抽選結果にもとづく大当り遊技の発生の有無を示す装飾図柄を表示する表示装置と、前記遊技領域と非遊技領域とを隔壁するための隔壁部と、前記主制御基板のマイクロプロセッサにより駆動制御されて各種機能表示を行う表示素子が一定個数実装されるとともに、遊技機の仕様が異なる機種間において、それら一定個数の表示素子が各種機能表示にそれぞれ割り当てられることにより共通に使用可能な機能表示基板を備え、前記機能表示基板にそれぞれ一定個数実装される表示素子は、少なくとも、前記遊技領域に設けられた始動入賞口に遊技球が入球して大当り遊技状態の発生の有無を所定の特別図柄として変動表示する特別図柄表示素子と、前記遊技領域に設けられた前記始動入賞口に遊技球が入球して前記特別図柄表示素子で特別図柄が変動表示されないときには特別保留数として表示する特別図柄記憶表示素子と、前記遊技領域に設けられたゲートに遊技球が通過して開閉部材の開閉の有無を所定の普通図柄として変動表示する普通図柄表示素子と、前記遊技領域に設けられたゲートに遊技球が通過して前記普通図柄表示素子で普通図柄が変動表示されないときには保留数として表示する普通図柄記憶表示素子と、現在の遊技状態を表示しうる遊技状態表示素子と、前記遊技領域に設けられた大入賞口に遊技球が入球することができない状態から入球しやすい状態となるラウンド数を表示するラウンド表示素子と、に割り当てられ、前記特別図柄記憶表示素子は、前記特別保留数の上限数よりも少ない数の表示素子で構成し、前記特別図柄表示素子と前記特別図柄表示素子と異なる他の表示素子とは、前記機能表示基板に集約して配置され、前記機能表示基板上に集約して配置された前記特別図柄表示素子と前記特別図柄表示素子と異なる他の表示素子とを遊技者が前記特別図柄表示素子と前記特別図柄表示素子と異なる他の表示素子であることを区別する機能表示部が印刷され、さらに該機能表示部と同一面に管理符号が印刷された機能表示手段とを備え、前記機能表示手段は、前記大当り遊技の発生の有無を示す装飾図柄を表示する前記表示装置と離間した位置であり、前記遊技領域を形成する隔壁部よりも非遊技領域側であって、機能表示部を遊技者が視認可能な位置に設けられていることを特徴とした遊技機。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１８
【補正方法】変更
【補正の内容】
【００１８】
本発明によれば、作業ミスを防止することで生産性の向上に寄与することができる。